(57)【特許請求の範囲】
【請求項１】
無線基地局と無線端末と無線中継装置とを備え、前記無線端末と前記無線基地局とが前記無線中継装置を介して通信を行う無線通信システムにおける前記無線端末と前記無線中継装置の移動に伴うハンドオーバ方法において、
前記無線中継装置と前記無線基地局との通信チャネルの品質が劣化した場合に、前記無線中継装置は、前記無線端末への信号の送信を停止する第１のステップと、
前記無線中継装置は、前記無線基地局を検索して、ハンドオーバ先の無線基地局を決定し、該ハンドオーバ先の無線基地局と同期を確立する第２のステップと、
その後、前記無線中継装置は、ハンドオーバ前のチャネルで、前記無線端末に信号を送信し、通信チャネルを確立する第３のステップと、
その後、前記無線端末の発呼要求により、前記無線中継装置と前記無線端末との間、前記無線中継装置と前記ハンドオーバ先の無線基地局との間の通信チャネルを確立する第４のステップとを含むことを特徴とするハンドオーバ方法。
【請求項２】
請求項１記載の前記第１のステップにおいて、
前記無線中継装置は、前記無線端末への信号の送信を停止する前に、前記無線端末に対して、ハンドオーバ処理を行うよう指示するハンドオーバ指示信号を送信することを特徴とするハンドオーバ方法。
【請求項３】
請求項１記載の前記第２のステップにおいて、
前記無線中継装置は、前記無線基地局の制御信号を受信し、該制御信号の受信電力が最も大きい無線基地局をハンドオーバ先の無線基地局とすることを特徴とするハンドオーバ方法。
【請求項４】
請求項１記載の前記第２のステップにおいて、
前記無線中継装置は、前記無線基地局の制御信号を受信し、ハンドオーバ前の通信方式によって通信が可能である無線基地局のうち、前記制御信号の受信電力が最も大きい無線基地局をハンドオーバ先の無線基地局とすることを特徴とするハンドオーバ方法。
【請求項５】
請求項１記載の前記第３のステップにおいて、
前記無線中継装置は、ハンドオーバ前のチャネルで、ハンドオーバ先の前記無線基地局のＴＤＭＡのフレームタイミングに合わせて信号を送信するステップを含むことを特徴とするハンドオーバ方法。
【請求項６】
無線基地局と無線端末と無線中継装置とを備え、前記無線端末と前記無線基地局とが前記無線中継装置を介して通信を行う無線通信システムにおける前記無線端末と前記無線中継装置の移動に伴うハンドオーバ方法において、
前記無線中継装置と前記無線基地局との通信チャネルの品質が劣化した場合に、前記無線中継装置は、前記無線端末への信号の送信を停止する第１のステップと、
前記無線中継装置は、前記無線基地局を検索して、ハンドオーバ先の無線基地局を決定し、該ハンドオーバ先の無線基地局と同期を確立する第２のステップと、
前記無線中継装置は、前記ハンドオーバ先の無線基地局に通信チャネルの割当てを要求する第３のステップと、
前記無線中継装置は、前記ハンドオーバ先の無線基地局から割り当てられた通信チャネルを用いて前記無線中継装置と前記無線基地局で通信チャネルを確立すると前記無線中継装置と前記無線端末との間で通信を行うことが可能な場合に、記無線端末に通信チャネルの変更を指示する第４のステップと、
前記無線端末は、前記無線中継装置から通信チャネルの変更を指示されると、通信チャネルの変更を行う第５のステップを含むことを特徴とするハンドオーバ方法。
【請求項７】
請求項６記載の前記第１のステップにおいて、
前記無線中継装置は、前記無線端末への信号の送信を停止する前に、前記無線端末に対して、ハンドオーバ処理を行うよう指示するハンドオーバ指示信号を送信することを特徴とするハンドオーバ方法。
【請求項８】
請求項６記載の前記第２のステップにおいて、
前記無線中継装置は、前記無線基地局の制御信号を受信し、該制御信号の受信電力が最も大きい無線基地局をハンドオーバ先の無線基地局とすることを特徴とするハンドオーバ方法。
【請求項９】
請求項６記載の前記第２のステップにおいて、
前記無線中継装置は、前記無線基地局の制御信号を受信し、ハンドオーバ前の通信方式によって通信が可能である無線基地局のうち、前記制御信号の受信電力が最も大きい無線基地局をハンドオーバ先の無線基地局とすることを特徴とするハンドオーバ方法。
【請求項１０】
請求項６記載の第３のステップにおいて、
前記無線中継装置は、ハンドオーバ前のチャネルで、ハンドオーバ先の前記無線基地局のＴＤＭＡのフレームタイミングに合わせて信号を送信するステップを含むことを特徴とするハンドオーバ方法。
【請求項１１】
無線基地局と無線端末と無線中継装置とを備え、前記無線端末と前記無線基地局とが前記無線中継装置を介して通信を行う無線通信システムにおいて、
前記無線中継装置と前記無線基地局との通信チャネルの品質が劣化した場合に、前記無線中継装置は、前記無線端末への信号の送信を停止する手段と、
前記無線中継装置は、前記無線基地局を検索して、ハンドオーバ先の無線基地局を決定し、該ハンドオーバ先の無線基地局と同期を確立する手段と、
同期確立後、前記無線中継装置は、ハンドオーバ前のチャネルで、前記無線端末に信号を送信し、通信チャネルを確立する手段と、
無線端末と通信チャネルの確立後、前記無線端末の発呼要求により、前記無線中継装置と前記無線端末との間、前記無線中継装置と前記ハンドオーバ先の無線基地局との間の通信チャネルを確立する手段とを含むことを特徴とする無線通信システム。
【請求項１２】
無線基地局と無線端末と無線中継装置とを備え、前記無線端末と前記無線基地局とが前記無線中継装置を介して通信を行う無線通信システムにおける無線中継装置において、
前記無線中継装置と前記無線基地局との通信チャネルの品質が劣化した場合に、前記無線端末への信号の送信を停止する手段と、
前記無線基地局を検索して、ハンドオーバ先の無線基地局を決定し、該ハンドオーバ先の無線基地局と同期を確立する手段と、
同期確立後、ハンドオーバ前のチャネルで、前記無線端末に信号を送信し、通信チャネルを確立する手段と、
無線端末と通信チャネルの確立後、前記無線端末の発呼要求により、前記無線端末及び前記ハンドオーバ先の無線基地局との間の通信チャネルを確立する手段とを含むことを特徴とする無線中継装置。
【請求項１３】
無線基地局と無線端末と無線中継装置とを備え、前記無線端末と前記無線基地局とが前記無線中継装置を介して通信を行う無線通信システムにおいて、
前記無線中継装置と前記無線基地局との通信チャネルの品質が劣化した場合に、前記無線中継装置は、前記無線端末への信号の送信を停止する手段と、
前記無線中継装置は、前記無線基地局を検索して、ハンドオーバ先の無線基地局を決定し、該ハンドオーバ先の無線基地局と同期を確立する手段と、
同期確立後、前記無線中継装置は、前記ハンドオーバ先の無線基地局に通信チャネルの割当てを要求する手段と、
前記無線中継装置は、前記ハンドオーバ先の無線基地局から割り当てられた通信チャネルを用いて前記無線中継装置と前記無線基地局で通信チャネルを確立すると前記無線中継装置と前記無線端末との間で通信を行うこと可能な場合に、前記無線端末に通信チャネルの変更を指示する手段と、
前記無線端末は、前記無線中継装置から通信チャネルの変更を指示されると、通信チャネルの変更を行う手段とを含むことを特徴とする無線通信システム。
【請求項１４】
無線基地局と無線端末と無線中継装置とを備え、前記無線端末と前記無線基地局とが前記無線中継装置を介して通信を行う無線通信システムにおける無線中継装置において、
前記無線中継装置と前記無線基地局との通信チャネルの品質が劣化した場合に、前記無線端末への信号の送信を停止する手段と、
前記無線基地局を検索して、ハンドオーバ先の無線基地局を決定し、該ハンドオーバ先の無線基地局と同期を確立する手段と、
同期確立後、前記ハンドオーバ先の無線基地局に通信チャネルの割当てを要求する手段と、
前記ハンドオーバ先の無線基地局から割り当てられた通信チャネルを用いて前記無線中継装置と前記無線基地局で通信チャネルを確立すると前記無線中継装置と前記無線端末との間で通信を行うことが可能な場合に、前記無線端末に通信チャネルの変更を指示する手段とを含むことを特徴とする無線中継装置。
【発明の詳細な説明】
【０００１】
【発明の属する技術分野】
本発明は、無線通信システム、ハンドオーバ方法及び無線中継装置に係り、特に、無線基地局と無線端末と無線中継装置とから構成され、無線端末と無線基地局との間で無線中継装置を介することによって通信を行う無線通信システム、ハンドオーバ方法及び無線中継装置に関する。
【０００２】
【従来の技術】
無線端末、無線中継装置、及び複数の無線基地局から構成され、無線端末と無線基地局とが無線中継装置を介して通信を行う無線通信システムがある。
図１は、従来の無線通信システムの構成例を示すものである。無線端末１０と、無線端末１０と無線チャネルで接続される無線中継装置２０と、無線中継装置２０と無線チャネルで接続される無線基地局３０１  〜３０ｎ  とで構成される。無線基地局３０１  〜３０ｎ  は、他の無線基地局又はＰＳＴＮ（Ｐｕｂｌｉｃ  Ｓｗｉｔｃｈｅｄ  Ｔｅｌｅｐｈｏｎｅ  Ｎｅｔｗｏｒｋ：  公衆電話網）、ＩＳＤＮ（Ｉｎｔｅｇｒａｔｅｄ  Ｓｅｒｖｉｃｅｓ  Ｄｉｇｉｔａｌ    Ｎｅｔｗｏｒｋ  ：統合サービスディジタル通信網）、インターネット等の交換局、ルータ等に接続されている。
【０００３】
この従来の無線通信システムでのハンドオーバのシーケンスを図６を用いて説明する。図６は、ＰＨＳ（Ｐｅｒｓｏｎａｌ  Ｈａｎｄｙ−ｐｈｏｎｅ  Ｓｙｓｔｅｍ）を用いて３２ｋ無線通信を行う場合を示している。
無線端末１０は、現在、無線中継装置２０を介して、無線基地局３０１  と通話中である（１０１）。無線中継装置２０と無線基地局３０１  との間の無線通信の品質が劣化した場合（１０２）、無線中継装置２０は無線端末１０に対し無線基地局３０を切りかえるためのハンドオーバ指示を送信する（１０３）。
【０００４】
無線中継装置２０は、制御チャネル（以下、「ＬＣＣＨ」という。  ＬＣＣＨ：Ｌｏｇｉｃａｌ  Ｃｏｎｔｒｏｌ  Ｃｈａｎｎｅｌ  ）を検索し（１０４）、最も受信電力の高い無線基地局３０ｎ  を検索し、ＬＣＣＨの同期を行う（１０５）。ＬＣＣＨ同期後、無線中継装置２０は、無線端末１０に対して検索した切替先無線基地局のフレームタイミングで新しい制御信号（以下、「新ＬＣＣＨ」という。  ）を送信する（１０６）。
【０００５】
無線端末１０は、新ＬＣＣＨ受信後、新しい通信チャネルの割当を要求するためにＬＣＨ（リンクチャネル）確立要求信号を無線中継装置２０に送信する（１０７）。
無線中継装置２０は、ＬＣＨ確立要求信号受信後、切替先無線基地局３０ｎ  に対して新しい通信チャネルの割当を要求するためにＬＣＨ確立要求信号を送信する（１０８）。
【０００６】
切替先無線基地局３０ｎ  は、空いている通信チャネルを無線中継装置２０に割り当てるためにＬＣＨ割当信号を無線中継装置２０に送信する（１０９）。
無線中継装置２０は、切替先無線基地局３０ｎ  から割り当てられた通信チャネルが使用可能かどうか調べ、可能であれば、切替先無線基地局３０ｎ  との通信チャネルの同期を確立する（１１０）。そして、無線端末１０に対して通信チャネルを割り当てる（１１１）。
【０００７】
上記に示す手順により、無線端末１０は、無線中継装置２０を介して無線基地局のハンドオーバが可能となる。
しかしながら、従来の無線ハンドオーバ方法では、無線中継装置２０は、無線端末１０にハンドオーバ指示を送信してからハンドオーバ先の無線基地局３０を検索し、ハンドオーバ先の無線基地局３０ｎ  を決定した後、ハンドオーバ先のフレームタイミングでＬＣＣＨを無線端末１０に送信する。
【０００８】
ところで、ＰＨＳは、無線端末は無線中継装置からのハンドオーバ指示を受信してからタイマを起動しており、そのタイマが予め定めたタイマ値を超えると、元の無線基地局との通信チャネルの受信を行うように設定されている。
このため、無線中継装置は、無線端末のタイマ値以内にハンドオーバ先の無線基地局を検索し、新ＬＣＣＨを送信する必要があった。
【０００９】
したがって、無線端末のタイマ値が小さければ、無線中継装置はハンドオーバ先の無線基地局を検索することができない場合も生じる。これは無線端末のハンドオーバ成功率を減少させることとなる。
また、ＰＨＳで６４ｋデータ通信を行っている場合、無線基地局によっては、６４ｋデータ通信が行うことができない場合がある。このとき、ハンドオーバ時に、ハンドオーバ先の無線基地局の検索の時間が少ないと、無線基地局が６４ｋデータ通信が可能であるかどうか、確認できない場合が生じる。そのため、６４ｋデータ通信を行っている無線端末１０がハンドオーバしたとき、無線基地局が６４ｋデータ通信を利用できないためにハンドオーバが失敗することがある。
【００１０】
【発明が解決しようとする課題】
上記のように、従来の無線チャネル割当方法では、無線端末がハンドオーバ指示を受信してから、予め定めた期間内に、無線中継装置は、新しい基地局を検索する必要があった。このことが、ハンドオーバ先の無線基地局の検索を困難にし、ハンドオーバ失敗の原因の一つとなっていた。
【００１１】
また、６４ｋデータ通信等、無線基地局によっては利用できない通信方式を使用している場合、ハンドオーバ前の通信方式を備えていない無線基地局にハンドオーバを行おうとして、ハンドオーバが失敗し、ハンドオーバの失敗率が増大する原因となっていた。
本発明は、上記問題に鑑みなされたものであり、ハンドオーバ時の無線中継装置による無線基地局の検索時間を長くし、ハンドオーバの成功率を向上させることを目的とするものである。
【００１２】
【課題を解決するための手段】
本発明によれば、上述の課題は、前記特許請求の範囲に記載した手段によって解決される。
請求項１に記載された発明は、無線基地局３０と無線端末１０と無線中継装置２０とを備え、前記無線端末と前記無線基地局とが前記無線中継装置を介して通信を行う無線通信システムにおける前記無線端末と前記無線中継装置の移動に伴うハンドオーバ方法において、前記無線中継装置と前記無線基地局との通信チャネルの品質が劣化した場合に、前記無線中継装置は、前記無線端末への信号の送信を停止する第１のステップと、前記無線中継装置は、前記無線基地局を検索して、ハンドオーバ先の無線基地局３０ｎ  を決定し、該ハンドオーバ先の無線基地局と同期を確立する第２のステップと、その後、前記無線中継装置は、ハンドオーバ前のチャネルで、前記無線端末に信号を送信し、通信チャネルを確立する第３のステップと、その後、前記無線端末の発呼要求により、前記無線中継装置と前記無線端末との間、前記無線中継装置と前記ハンドオーバ先の無線基地局との間の通信チャネルを確立する第４のステップとを含むことを特徴とするハンドオーバ方法である。
【００１３】
請求項２に記載された発明は、請求項１記載の前記第１のステップにおいて、前記無線中継装置２０は、前記無線端末１０への信号の送信を停止する前に、前記無線端末に対して、ハンドオーバ処理を行うよう指示するハンドオーバ指示信号を送信することを特徴とするハンドオーバ方法である。
請求項３に記載された発明は、請求項１記載の前記第２のステップにおいて、前記無線中継装置２０は、前記無線基地局３０の制御信号を受信し、該制御信号の受信電力が最も大きい無線基地局をハンドオーバ先の無線基地局３０ｎ  とすることを特徴とするハンドオーバ方法である。
【００１４】
請求項４に記載された発明は、請求項１記載の前記第２のステップにおいて、前記無線中継装置２０は、前記無線基地局３０の制御信号を受信し、ハンドオーバ前の通信方式によって通信が可能である無線基地局のうち、前記制御信号の受信電力が最も大きい無線基地局をハンドオーバ先の無線基地局３０ｎ  とすることを特徴とするハンドオーバ方法である。
【００１５】
請求項５に記載された発明は、請求項１記載の前記第３のステップにおいて、前記無線中継装置２０は、ハンドオーバ前のチャネルで、ハンドオーバ先の前記無線基地局３０ｎ  のＴＤＭＡのフレームタイミングに合わせて信号を送信するステップを含むことを特徴とするハンドオーバ方法である。
請求項６に記載された発明は、無線基地局３０と無線端末１０と無線中継装置２０とを備え、前記無線端末と前記無線基地局とが前記無線中継装置を介して通信を行う無線通信システムにおける前記無線端末と前記無線中継装置の移動に伴うハンドオーバ方法において、前記無線中継装置と前記無線基地局との通信チャネルの品質が劣化した場合に、前記無線中継装置は、前記無線端末への信号の送信を停止する第１のステップと、前記無線中継装置は、前記無線基地局を検索して、ハンドオーバ先の無線基地局３０ｎ  を決定し、該ハンドオーバ先の無線基地局と同期を確立する第２のステップと、前記無線中継装置は、前記ハンドオーバ先の無線基地局に通信チャネルの割当てを要求する第３のステップと、前記無線中継装置は、前記ハンドオーバ先の無線基地局から割り当てられた通信チャネルを用いて前記無線中継装置と前記無線基地局で通信チャネルを確立すると前記無線中継装置と前記無線端末との間で通信を行うことが可能な場合に、記無線端末に通信チャネルの変更を指示する第４のステップと、前記無線端末は、前記無線中継装置から通信チャネルの変更を指示されると、通信チャネルの変更を行う第５のステップを含むことを特徴とするハンドオーバ方法である。
【００１６】
請求項７に記載された発明は、請求項６記載の前記第１のステップにおいて、前記無線中継装置２０は、前記無線端末１０への信号の送信を停止する前に、前記無線端末に対して、ハンドオーバ処理を行うよう指示するハンドオーバ指示信号を送信することを特徴とするハンドオーバ方法である。
請求項８に記載された発明は、請求項６記載の前記第２のステップにおいて、前記無線中継装置２０は、前記無線基地局３０の制御信号を受信し、該制御信号の受信電力が最も大きい無線基地局をハンドオーバ先の無線基地局３０ｎ  とすることを特徴とするハンドオーバ方法である。
【００１７】
請求項９に記載された発明は、請求項６記載の前記第２のステップにおいて、前記無線中継装置２０は、前記無線基地局３０の制御信号を受信し、ハンドオーバ前の通信方式によって通信が可能である無線基地局のうち、前記制御信号の受信電力が最も大きい無線基地局をハンドオーバ先の無線基地局３０ｎ  とすることを特徴とするハンドオーバ方法である。
【００１８】
請求項１０に記載された発明は、請求項６記載の第３のステップにおいて、前記無線中継装置２０は、ハンドオーバ前のチャネルで、ハンドオーバ先の前記無線基地局３０ｎ  のＴＤＭＡのフレームタイミングに合わせて信号を送信するステップを含むことを特徴とするハンドオーバ方法である。
請求項１１に記載された発明は、無線基地局３０と無線端末１０と無線中継装置２０とを備え、前記無線端末と前記無線基地局とが前記無線中継装置を介して通信を行う無線通信システムにおいて、前記無線中継装置と前記無線基地局との通信チャネルの品質が劣化した場合に、前記無線中継装置は、前記無線端末への信号の送信を停止する手段と、前記無線中継装置は、前記無線基地局を検索して、ハンドオーバ先の無線基地局３０ｎ  を決定し、該ハンドオーバ先の無線基地局と同期を確立する手段と、同期確立後、前記無線中継装置は、ハンドオーバ前のチャネルで、前記無線端末に信号を送信し、通信チャネルを確立する手段と、無線端末と通信チャネルの確立後、前記無線中継装置と前記ハンドオーバ先の無線基地局は、両者間の通信チャネルを確立する手段とを含むことを特徴とする無線通信システムである。
【００１９】
請求項１２に記載された発明は、無線基地局３０と無線端末１０と無線中継装置２０とを備え、前記無線端末と前記無線基地局とが前記無線中継装置を介して通信を行う無線通信システムにおける無線中継装置において、前記無線中継装置と前記無線基地局との通信チャネルの品質が劣化した場合に、前記無線端末への信号の送信を停止する手段と、前記無線基地局を検索して、ハンドオーバ先の無線基地局３０ｎ  を決定し、該ハンドオーバ先の無線基地局と同期を確立する手段と、同期確立後、ハンドオーバ前のチャネルで、前記無線端末に信号を送信し、通信チャネルを確立する手段と、無線端末と通信チャネルの確立後、前記無線端末の発呼要求により、前記無線端末及び前記ハンドオーバ先の無線基地局との間の通信チャネルを確立する手段とを含むことを特徴とする無線中継装置である。
【００２０】
請求項１３に記載された発明は、無線基地局３０と無線端末１０と無線中継装置２０とを備え、前記無線端末と前記無線基地局とが前記無線中継装置を介して通信を行う無線通信システムにおいて、前記無線中継装置と前記無線基地局との通信チャネルの品質が劣化した場合に、前記無線中継装置は、前記無線端末への信号の送信を停止する手段と、前記無線中継装置は、前記無線基地局を検索して、ハンドオーバ先の無線基地局３０ｎ  を決定し、該ハンドオーバ先の無線基地局と同期を確立する手段と、同期確立後、前記無線中継装置は、前記ハンドオーバ先の無線基地局に通信チャネルの割当てを要求する手段と、前記無線中継装置は、前記ハンドオーバ先の無線基地局から割り当てられた通信チャネルを用いて前記無線中継装置と前記無線基地局で通信チャネルを確立すると前記無線中継装置と前記無線端末との間で通信を行うことが可能な場合に、前記無線端末に通信チャネルの変更を指示する手段と、前記無線端末は、前記無線中継装置から通信チャネルの変更を指示されると、通信チャネルの変更を行う手段とを含むことを特徴とする無線通信システムである。
【００２１】
請求項１４に記載された発明は、無線基地局３０と無線端末１０と無線中継装置２０とを備え、前記無線端末と前記無線基地局とが前記無線中継装置を介して通信を行う無線通信システムにおける無線中継装置において、前記無線中継装置と前記無線基地局との通信チャネルの品質が劣化した場合に、前記無線端末への信号の送信を停止する手段と、前記無線基地局を検索して、ハンドオーバ先の無線基地局３０ｎ  を決定し、該ハンドオーバ先の無線基地局と同期を確立する手段と、同期確立後、前記ハンドオーバ先の無線基地局に通信チャネルの割当てを要求する手段と、前記ハンドオーバ先の無線基地局から割り当てられた通信チャネルを用いて前記無線中継装置と前記無線基地局で通信チャネルを確立すると前記無線中継装置と前記無線端末との間で通信を行うことが可能な場合に、前記無線端末に通信チャネルの変更を指示する手段とを含むことを特徴とする無線中継装置である。
【００２２】
【発明の実施の形態】
本発明が適用される無線通信システムの構成例は、従来例で示したものと同じである。図１に示すように、複数の無線基地局３０１  〜３０ｎ  と無線端末１０と無線中継装置２０とから構成され、無線端末１０と無線基地局３０１  〜３０ｎ  との間で無線中継装置２０を介することによって通信を行う無線通信システムに利用される。
【００２３】
本発明は、無線中継装置が、ハンドオーバ時に、無線基地局を検索する時間を長くすることができ、結果として、ハンドオーバを効率よく行うことができるハンドオーバ方法である。
以下、本発明の実施の形態を図１を参照して説明する。図１は、本発明が適用される無線通信システムの構成の１例を示すものである。無線端末１０と、無線端末１０と無線チャネルで接続される無線中継装置２０と、無線中継装置２０と無線チャネルで接続される無線基地局とで構成される。
【００２４】
この発明の実施の形態では、無線中継装置２０は、無線基地局３０との通信チャネルの品質が劣化し、ハンドオーバが必要であると判断すると、無線端末１０に対しハンドオーバ指示を送信し、ハンドオーバ先の無線基地局３０と信号の送受信が可能となるタイミングで、無線端末１０と通信チャネルを確立する手段を備え、無線端末１０と通信チャネルを確立した後、無線端末１０に対して、ハンドオーバ指示を送信して、ハンドオーバ先の無線基地局３０への無線チャネルの確立を行う手段を含むことを特徴とする。
【００２５】
次に、本実施の形態の動作を、無線通信システムの発信シーケンス図である図２を用いて説明する。
ここで、シーケンスはＰＨＳを例にとって示している。
数字符号１は、無線基地局３０との通信チャネルの品質の劣化によるハンドオーバ指示信号を、符号２は、無線端末１０から無線中継装置２０に、又は無線中継装置２０から無線基地局３０に送信されるＬＣＨ確立要求信号を、符号３は無線基地局３０から無線中継装置２０に、又は無線中継装置２０から無線端末１０に送信されるＬＣＨ割当信号を、符号４は無線中継装置２０から無線端末１０に送信される無線中継装置２０と無線端末１０との通信チャネルを確立するためのハンドオーバ指示を、符号５は無線端末１０から無線中継装置２０、又は無線中継装置２０から無線基地局３０に送信されるＴＣＨ追加要求信号を、符号６は無線基地局３０から無線中継装置２０、又は無線中継装置２０から無線端末１０に送信されるＴＣＨ追加割当信号を示している。
【００２６】
また、無線中継装置２０が無線端末１０に送信する通信チャネルのタイミングを図３を用いて説明する。ＰＨＳでは、ＴＤＭＡ−ＴＤＤ（Ｔｉｍｅ  Ｄｉｖｉｓｉｏｎ  Ｍｕｌｔｉｐｌｅ  Ａｃｃｅｓｓ−Ｔｉｍｅ  Ｄｉｖｉｓｉｏｎ  Ｄｕｐｌｅｘ  ）で通信を行っており、通信チャネルは４つのタイムスロット（スロット番号１〜スロット番号４）とキャリア周波数で割当てられている。
【００２７】
無線中継装置２０は、ハンドオーバ前においては、ハンドオーバ元無線基地局３０１  と同じＴＤＭＡのフレームタイミングで送受信を行っている（２０１）。ここで、無線中継装置２０と無線端末１０との通信チャネルは、スロット番号２，キャリア周波数ｆ１  であるとする。
無線中継装置２０は、通信中に無線基地局３０１  との通信チャネルの品質が劣化し、ハンドオーバが必要となると（２０２）、無線端末１０に対してハンドオーバ指示１を送信し、無線端末１０との通信を停止する。
【００２８】
無線端末１０は、ハンドオーバ指示１を受信すると、ＬＣＣＨが受信できない時間を計測する。
ところで、ＰＨＳでは、無線端末は、公衆モードと自営モードを備えている。無線端末が公衆モードとして使用している場合、公衆の無線基地局と通信チャネルを確立し、無線端末が自営モードであれば、設定した自営無線基地局とのみ通信チャネルを確立する。
【００２９】
本システムにおいて、無線端末１０が自営モードで使用しており、無線中継装置２０が無線端末１０の自営モードの無線基地局として登録されているとすると、無線端末１０は、無線中継装置２０とのみ通信チャネルの確立が可能となる。そこで、無線中継装置２０がＬＣＣＨを停止すれば、無線端末１０は、ハンドオーバのためのＬＣＣＨの受信が不可能となる。しかし、予め定めた一定時間ＬＣＣＨを受信できない場合、無線端末１０はハンドオーバ前の状態に戻る処理を行い、前の通信チャネルでの信号の受信を試みる。
【００３０】
無線中継装置２０は、ＬＣＣＨを停止した後、無線基地局３０への信号の送信も停止し、ＬＣＣＨを受信して受信電力の最も大きなハンドオーバ先の無線基地局を検索する（２０３）。そして、無線中継装置２０は、ハンドオーバ先無線基地局３０ｎ  とＬＣＣＨの同期行う（２０４）。ＬＣＣＨの同期後、無線中継装置２０は、ハンドオーバ前の通信チャネルを無線端末１０に送信する（２０５）。図３に示すように、このとき無線端末１０に送信する通信チャネルのスロット番号は、ハンドオーバ前と同じ２に、キャリア周波数もハンドオーバ前と同じｆ１  で送信する。これは、ハンドオーバ先の無線基地局が送信するフレーム情報を含むＢＣＣＨ（Ｂｒｏａｄｃａｓｔ  Ｃｏｎｔｒｏｌ  Ｃｈａｎｎｅｌ  ）受信することで可能となる。
【００３１】
ハンドオーバ先の無線基地局の決定方法としては、受信電力の最も大きな無線基地局とするほかに、数回ＬＣＣＨを受信して、その平均電力が最も大きな無線基地局とする方法もある。
無線端末１０は、無線中継装置２０が通信チャネルの送信を開始すると、信号の受信を行い、無線中継装置２０との通信チャネルの確立を行う（２０６）。無線中継装置２０は、無線端末１０との通信チャネルの確立が行われると、無線中継装置２０は、無線端末１０にハンドオーバ指示４を送信する。
【００３２】
無線端末１０は、ハンドオーバ指示４を受信すると、通常の発信接続を行い、ハンドオーバ先の無線基地局３０ｎ  との通信チャネルの確立を行う。
無線端末１０はＬＣＨ確立要求信号２を無線中継装置２０に送信する。無線中継装置２０は、ＬＣＨ確立要求信号２を受信すると、無線基地局３０ｎ  にＬＣＨ確立要求信号２を送信する。
【００３３】
無線基地局３０ｎ  は、ＬＣＨ確立要求信号２を受信すると、空き通信チャネルから無線中継装置２０に割り当てる割当通信チャネルを決定し、割当通信チャネルを無線中継装置２０に通知するためにＬＣＨ割当信号３を送信する。
無線中継装置２０は、ＬＣＨ割当信号３を受信し、無線基地局３０ｎ  から割り当てられた通信チャネルが使用可能であれば、無線中継装置２０と無線基地局３０ｎ  との通信チャネルの確立を行い（２０７）、無線端末１０に割り当てる割当通信チャネルを決定し、無線端末１０に割当通信チャネルを通知するためにＬＣＨ割当信号３を送信する。
【００３４】
無線端末１０は、ＬＣＨ割当信号３を受信すると、無線中継装置２０から割り当てられた割当通信チャネルが使用可能であれば、無線端末１０と無線中継装置２０との通信チャネルを確立し、通信が可能となる（２０８）。
上記の説明では、１つの無線基地局と１つの無線中継装置間、及び１つの無線中継装置と１つの無線端末１０間がそれぞれ１つの通信チャネルにおいて通信を行う場合であるが、１つの無線基地局と１つの無線中継装置間、及び１つの無線中継装置と１つの無線端末間で、それぞれ２つ以上の通信チャネルを用いて通信を行う場合も考えられる。例えば、ＰＨＳでは２つの通信チャネルを用いて６４ｋデータ通信が可能である。
【００３５】
ここでは、１つの無線基地局と１つの無線中継装置間、及び１つの無線中継装置と１つの無線端末間でそれぞれ２つの通信チャネルを用いて通信を行っている場合のハンドオーバのシーケンスを図４を用いて説明する。システム構成は、図１と同じであるとする。
無線中継装置２０は、通信中（３０１）に無線基地局３０１  との第１通信チャネル、又は第２通信チャネルの品質が劣化し、ハンドオーバが必要となると（３０２）、無線端末１０に対してハンドオーバ指示１を送信し、無線端末１０との通信を停止する。
【００３６】
無線端末１０は、ハンドオーバ指示１を受信すると、ＬＣＣＨの受信できない時間を計測する。なお、無線端末１０は、計測の結果、ハンドオーバのための予め定めた一定時間ＬＣＣＨを受信できない場合、ハンドオーバ前の状態に戻る処理を行い、前の第１通信チャネル、第２通信チャネルでの信号の受信を試みる。無線中継装置２０は、ＬＣＣＨを停止した後、無線基地局への信号の送信も停止し、例えば、受信電力の最も大きなハンドオーバ先の無線基地局を検索する（３０３）。
【００３７】
ＰＨＳでは、１つの無線基地局と１つの無線中継装置間で２つの通信チャネルを用いて通信が可能である無線基地局（以下、「複数チャネル対応無線基地局」という。  ）と１つの無線基地局と１つの無線中継装置間で２つの通信チャネルで通信できない無線基地局（以下、「複数チャネル未対応無線基地局」という。  ）が混在している。
【００３８】
無線中継装置２０は、各無線基地局のＬＣＣＨで送信が行われている制御信号を受信することによって、「複数チャネル対応無線基地局」と「複数チャネル未対応無線基地局」との区別が可能となる。無線中継装置２０は、ＬＣＣＨ受信において、複数チャネル対応無線基地局の内、最も受信電力の大きい複数チャネル対応無線基地局を検索し、ハンドオーバ先無線基地局として決定する。そして、無線中継装置２０は、ハンドオーバ先無線基地局３０ｎ  とＬＣＣＨの同期行う（３０４）。ＬＣＣＨの同期後、無線中継装置２０は、ハンドオーバ前の通信チャネルを無線端末１０に送信する（３０５）。このとき無線端末１０に送信する通信チャネルのスロット番号はハンドオーバ前と同じスロットで、キャリア周波数もハンドオーバ前と同じ周波数で送信する。
【００３９】
無線端末１０は、無線中継装置２０が第１通信チャネル、第２通信チャネルの送信を開始すると、信号の受信を行い、無線中継装置２０との第１通信チャネル、第２通信チャネルの確立を行う（３０６、３０７）。
無線中継装置２０は、無線端末１０との第１通信チャネル、第２通信チャネルの確立が行われると、無線中継装置２０は無線端末１０にハンドオーバ指示４を送信する。
【００４０】
無線端末１０は、ハンドオーバ指示４を受信すると、通常の発信接続を行い、ハンドオーバ先の無線基地局との通信チャネルの確立を行う。
発信接続としては、例えば以下のような方法がある。
無線端末１０は、ＬＣＨ確立要求信号２を無線中継装置２０に送信する。無線中継装置２０は、ＬＣＨ確立要求信号２を受信すると、無線基地局３０ｎ  にＬＣＨ確立要求信号２を送信する。無線基地局３０ｎ  は、ＬＣＨ確立要求信号２を受信すると、空き通信チャネルから無線中継装置２０に割り当てる第１通信チャネルを決定し、第１通信チャネルを無線中継装置２０に通知するためにＬＣＨ割当信号３を送信する。無線中継装置２０は、ＬＣＨ割当信号３を受信し、無線基地局３０ｎ  から割り当てられた第１通信チャネルが使用可能であれば、無線中継装置２０と無線基地局３０ｎ  との第１通信チャネルの確立を行い、無線端末１０に割り当てる第１通信チャネルを決定し、無線端末１０にこの第１通信チャネルを通知するためにＬＣＨ割当信号３を送信する。
【００４１】
無線端末１０は、ＬＣＨ割当信号３を受信すると、無線中継装置２０から割り当てられた第１通信チャネルが使用可能であれば、無線端末１０と無線中継装置２０との第１通信チャネルを確立する（３０９）。そして、第２通信チャネルを確立するためにＴＣＨ追加要求信号５を送信する。無線中継装置２０は、ＴＣＨ追加要求信号５を受信すると、無線基地局３０ｎ  にＴＣＨ追加要求信号５を送信する。無線基地局３０ｎ  は、ＴＣＨ追加要求信号５を受信すると、空き通信チャネルの中から無線中継装置２０への第２通信チャネルを決定し、第２通信チャネルをＴＣＨ追加割当信号６によって無線中継装置２０に送信する。無線中継装置２０は、割り当てられた第２通信チャネルが使用可能であれば無線基地局３０ｎ  と無線中継装置２０との第２通信チャネルを確立し（３１０）、空きチャネルを第２通信チャネルとして、無線端末１０にＴＣＨ追加割当信号６によって送信する。無線端末１０は、ＴＣＨ追加割当信号６を受信すると、割り当てられた第２通信チャネルが使用可能であれば、無線基地局３０ｎ  と無線中継装置２０との第２通信チャネルを確立する（３１１）。
【００４２】
ところで、ＰＨＳの無線端末の多くは、特定の通信チャネルの組み合わせでは無線通信が不可能である。具体的には、第１通信チャネルと第２通信チャネルに割り当てられた割当チャネルの組み合わせが、スロット番号１とスロット番号４となる場合、無線端末は、無線通信が不可能になる。
そこで、図４において、ＰＨＳに適用する場合は、通信チャネル確立（３０８、３１０）を、例えば、次のように行う。
【００４３】
無線中継装置２０は、無線端末１０からの端末側（無線端末と無線中継装置間）第１通信チャネルの割当のためのＬＣＨ確立要求信号２を受信すると、無線基地局３０に対して無線基地局側（無線中継装置と無線基地局間）第１の通信チャネルの割当のためにＬＣＨ確立要求信号２を制御チャネルによって送信する。
無線基地局３０は、無線中継装置２０からＬＣＨ確立要求信号２を受信すると、無線基地局３０で使用していない通信チャネルを無線中継装置２０に対して基地局側第１通信チャネルとして割り当て、ＬＣＨ割当信号３によって無線中継装置２０に通知する。ＬＣＨ割当信号２には無線基地局３０と無線中継装置２０との間の割当チャネルの情報が含まれている。
【００４４】
基地局側第１通信チャネルの割当チャネルの決定方法としては、無線基地局３０で使用していない無線チャネルを割り当てるものとする。ここで、無線基地局３０は基地局側第１通信チャネルを第４スロットに割り当てたものとする。
無線中継装置２０は、無線基地局３０から送信されたＬＣＨ割当信号３を受信する。基地局側第１通信チャネルが、無線端末１０に組み合わせて割り当てられない第１スロット又は第４スロットを割り当てられたならば、これらのスロットはできれば最後に割り当てたいので、無線中継装置２０は、無線基地局３０に対してＬＣＨ確立再要求信号（図示せず）を送信する。無線基地局３０は、無線中継装置２０からＬＣＨ確立再要求信号を受信すると、先に送信した基地局側第１通信チャネルで割り当てた通信チャネル以外に割り当てられる通信チャネルがあれば、その通信チャネルを基地局側第１通信チャネルに割り当て、無線中継装置２０にＬＣＨ割当信号３を送信する。
【００４５】
ここで、無線基地局３０は、基地局側第１通信チャネルを第３スロットに割り当てたとする。無線中継装置２０は、無線基地局３０から送信されたＬＣＨ割当信号２を受信する。
そして、無線端末１０は、端末側第２通信チャネルの割当を要求するために無線中継装置２０に対して、ＴＣＨ追加要求信号５を送信する。無線中継装置２０は、無線端末１０から送信されたＴＣＨ追加要求信号５を受信すると、無線基地局３０に対してＴＣＨ追加要求信号５を送信する。無線基地局３０は、無線中継装置２０から送信されたＴＣＨ追加割当信号３を受信すると、使用可能である割当チャネルをＴＣＨ追加割当信号６によって無線中継装置２０に送信する。ここで、基地局側第２通信チャネルの割当チャネルを第２スロットとする。無線中継装置２０はＴＣＨ追加割当信号６を受信し、無線基地局３０からＴＣＨ追加割当信号６によって割り当てられた基地局側第２通信チャネルの割当チャネルが端末側第１通信チャネルの割当チャネルに等しければ、無線基地局３０にＴＣＨ追加再要求信号（図示せず）を無線基地局３０に送信する。
【００４６】
無線基地局３０は、ＴＣＨ追加再要求信号を受信すると、先に基地局側第２通信チャネルとして割り当てた割当チャネル以外の通信チャネルを割り当て、ＴＣＨ追加割当信号６によって無線中継装置２０に送信する。先に基地局側第２通信チャネルとして割り当てた割当チャネル以外の通信チャネルを割り当てられなければ、先に基地局側第２通信チャネルとして割り当てた割当チャネルをＴＣＨ追加割当信号６によって無線中継装置２０に送信する。ここで、無線基地局３０は、基地局側第２通信チャネルとして第４スロットを割り当てたとする。
【００４７】
無線中継装置２０は、ＴＣＨ追加割当信号６を受信すると、割当チャネルが使用可能かどうか調べ、使用可能であれば、基地局側第２通信チャネルの同期を確立する。ここで第４スロットは端末側の制御チャネルであるが、端末側ＬＣＣＨを停止して基地局側第２通信チャネルの同期を確立する。
無線中継装置２０がハンドオーバ先の無線基地局を決定した後に、再び、ハンドオーバ指示４を無線端末１０に送信する代わりに、無線中継装置２０が無線端末１０に対して、チャネル切替の指示を送信することも可能である。
【００４８】
チャネル切替指示を用いたハンドオーバ方法を用いた場合のハンドオーバのシーケンスを図５を用いて説明する。
数字符号１は、無線中継装置２０から無線端末１０に送信される通信チャネルの品質劣化によるハンドオーバ指示信号を、符号２は無線端末１０から無線中継装置２０に、又は無線中継装置２０から無線基地局３０に送信されるＬＣＨ確立要求信号を、符号３は無線基地局３０から無線中継装置２０に、又は無線中継装置２０から無線端末１０に送信されるＬＣＨ割当信号を、符号４は無線中継装置２０から無線端末１０に送信される無線中継装置２０と無線端末１０との通信チャネルを切りかえるためのチャネル切替指示を示している。
【００４９】
無線中継装置２０は、通信中（４０１）に無線基地局３０１  との通信チャネルの品質が劣化し、ハンドオーバが必要となると（４０２）、無線端末１０に対してハンドオーバ指示１を送信し、無線端末１０との通信を停止する。無線中継装置２０は、ＬＣＣＨを停止した後、無線基地局３０１  への信号の送信も停止し、ＬＣＣＨを受信して受信電力の最も大きなハンドオーバ先の無線基地局を検索する（４０２）。無線中継装置２０は、ハンドオーバ先の無線基地局３０ｎ  を決定し、ＬＣＣＨ同期を確立すると（４０４）、無線基地局３０ｎ  に対しＬＣＨ確立要求信号２を送信する。
【００５０】
無線基地局３０ｎ  は、ＬＣＨ確立要求信号２を受信すると、空き通信チャネルから無線中継装置２０に割り当てる割当通信チャネルを決定し、割当通信チャネルを無線中継装置２０に通知するためにＬＣＨ割当信号３を送信する。
無線中継装置２０は、ＬＣＨ割当信号３を受信し、割り当てられた通信チャネルで、無線中継装置２０と無線端末１０との通信を行うことが可能である場合、無線中継装置２０は、ハンドオーバ先無線基地局のフレームタイミングに同期して通信チャネルを無線端末１０に送信する（４０５）。このとき、無線端末１０に送信する通信チャネルのスロット番号はハンドオーバ前と同じ２に、キャリア周波数もハンドオーバ前と同じｆ１  で送信する。
【００５１】
なお、割り当てられた通信チャネルで通信を行うと、無線中継装置２０と無線端末１０との通信を行うことが出来ない場合は、無線中継装置２０は、無線基地局３０ｎ  に、ＬＣＨ確立再要求信号（図示せず）を送信する。無線基地局３０ｎ  は、ＬＣＨ確立再要求信号を受信すると、先に送信したチャネル以外にチャネルを割り当てて、ＬＣＨ割当信号２を送信する。このようにして、無線中継装置２０と無線端末１０との通信を行うことが可能な無線基地局と無線中継装置間のＬＣＨ割当を行う。
【００５２】
無線中継装置２０は、無線端末１０との通信チャネルが確立されると（４０６）、無線端末１０に対してチャネル切替指示４を送信する。チャネル切替指示の切替先チャネルは、無線中継装置２０と無線基地局３０ｎ  との通信チャネルに影響を与えないチャネルにする。
無線端末１０は、チャネル切替指示を受信すると、チャネル切替指示４に従い、無線中継装置２０と、無線端末１０との通信チャネルを切り替える。
【００５３】
無線中継装置２０は、無線端末１０との通信チャネルの切替が完了した後で、無線基地局３０ｎ  との通信チャネルの確立を行う（４０８）。
なお、図２、図４、図５に関する説明において、無線中継装置２０は、ハンドオーバが必要となると、無線端末１０への送信を停止する前に、無線端末１０に対してハンドオーバ指示１を送信する例について説明したが、無線端末１０に対してハンドオーバ指示１を送信することなく、無線端末１０への送信を停止してもよい。無線端末１０に対してハンドオーバ指示１を送信することなく、無線端末１０への送信を停止する場合の方が、ハンドオーバのための検索時間を長くすることができる。
【００５４】
無線中継装置２０は、ハンドオーバ指示１を送信することも、ハンドオーバ指示１を送信しないこともできる。無線中継装置２０は、ハンドオーバのための必要な検索時間を考慮して、一方を選択する。
なお、無線端末１０は、無線中継装置２０からのハンドオーバ指示１を受信すると、発信しようとしてＬＣＣＨを探す動作、無線中継装置２０からの信号の断の確認動作、ＬＣＣＨが受信できない時間を計測する動作等を行う。
【００５５】
【発明の効果】
上述の如く本発明によれば、無線中継装置がハンドオーバ先の無線基地局を検索した後、無線中継装置と無線端末間で、ハンドオーバ前の通信チャネルを確立し、その後、無線端末と無線中継装置間及び無線中継装置と無線基地局間のチャネルを確立することにより、無線中継装置がハンドオーバ先の無線基地局を検索する時間を長くすることができる。また、これにより、無線中継装置が通信チャネルの品質がより良好である無線基地局を検索することが可能となる。
【００５６】
さらに、ハンドオーバを行う際に、ハンドオーバ先の無線基地局の通信方式を確認することができるので、通信方式の違いによる、ハンドオーバ失敗率を小さくすることが可能となる
【図面の簡単な説明】
【図１】無線通信システムの構成例を示す図である。
【図２】本発明のハンドオーバを説明するためシーケンス図（その１）である。
【図３】無線中継装置と無線基地局のハンドオーバにおけるタイミングを説明するための図である。
【図４】本発明のハンドオーバを説明するためシーケンス図（その２）である。
【図５】本発明のハンドオーバを説明するためシーケンス図（その３）である。
【図６】従来例のハンドオーバを説明するためシーケンス図である。
【符号の説明】
１０    無線端末
２０    無線中継装置
３０    無線基地局
【図１】
0003589910.tif 000002
【図２】
0003589910.tif 000003
【図３】
0003589910.tif 000004
【図４】
0003589910.tif 000005
【図５】
0003589910.tif 000006
【図６】
0003589910.tif 000007